(57)【要約】【課題】遮断器の変位を抑制することができる遮断器用架台を提供する。【解決手段】遮断器用架台１００は、遮断器２０を床面に設置する際に用いられる。また、遮断器用架台１００は、遮断器２０と共に動くように取り付けられるベース部材１１０と、遮断器２０と床面２００との間に位置し、ベース部材１１０よりも高い伸縮性を有し、遮断器２０の動作による振動の床面２００への伝達を抑制するばね部材１３０と、遮断器２０が動いた際に、遮断器２０の加速度を計測する加速度計１７０と、床面２００と共に動くように取り付けられたトーションバー１４０とを備えている。加速度計１７０の計測値が、所定の値を超えると、トーションバー１４０の捩じられた状態が解放され、トーションバー１４０に接続されたカム１４４が、ベース部材１１０と接触し、ベース部材１１０を鉛直下方向に向かって押し付ける。【選択図】図４
2017195678.tif 000002
【特許請求の範囲】
【請求項１】
電流の遮断及び投入を行う遮断器を床面に設置する際に用いられる遮断器用架台であって、
前記遮断器と共に動くように取り付けられる第１の部品と、
前記遮断器と前記床面との間に位置し、前記第１の部品よりも高い伸縮性を有し、前記遮断器の動作による振動の前記床面への伝達を抑制する第２の部品と、
前記遮断器が動いた際に、前記遮断器の加速度を計測する加速度計と、
前記床面と共に動くように取り付けられたトーションバーと、
を備え、
前記加速度計の計測値が、所定の値を超えると、前記トーションバーの捩じられた状態が解放され、前記トーションバー又は前記トーションバーと接続された部品が、前記第１の部品と接触し、前記第１の部品を第１の方向に向かって押し付けること、
を特徴とする遮断器用架台。
【請求項２】
前記第１の方向は、前記床面に対して鉛直方向であること、
を特徴とする請求項１に記載の遮断器用架台。
【請求項３】
前記トーションバーは、平面視したときに、前記遮断器と重なる位置にあること、
を特徴とする請求項１に記載の遮断器用架台。
【請求項４】
前記遮断器は、前記遮断器の下面から前記第１の部品に向かって伸びる脚を有し、
前記トーションバーが伸びる方向と直行する方向と平行、かつ、水平方向と平行であって、前記脚の中心軸を通る直線上において、鉛直方向から見たときに、前記トーションバーの中心軸と前記脚の中心軸とを結ぶ線分の長さは、前記トーションバーの中心軸と前記第１の部品の外縁とを結ぶ線分の長さよりも短いこと、
を特徴とする請求項１に記載の遮断器用架台。
【請求項５】
油圧シリンダと、
前記油圧シリンダに作動油を送り出すアキュームレータと、
さらに備え、
前記加速度計の計測値が、所定の値を超えると、前記アキュームレータが前記油圧シリンダに向かって前記作動油を送り出し、前記油圧シリンダが有するピストンが、前記第１の部品と接触し、前記第１の部品を前記第１の方向に向かって押圧すること、
を特徴とする請求項１に記載の遮断器用架台。
【発明の詳細な説明】
【技術分野】
【０００１】
本発明は、変電所等に設置される遮断器の変位を抑制する遮断器用架台に関する。
【背景技術】
【０００２】
変電所等に設置される遮断器は、送電系統に事故が発生すると、事故系統を切離して事故の拡大を防止するために、素早く動作する。この素早い動作による振動は、変電所の運用に影響を及ぼすおそれがある。従って、遮断器の動作による振動が遮断器の外部に伝わることを抑制するために、特許文献１に記載のガス絶縁開閉装置には、遮断器とこれを設置する床面との間に、振動を防止するゴムが設けられている。
【先行技術文献】
【特許文献】
【０００３】
【特許文献１】特開２００１−２８６０１６号公報
【発明の概要】
【発明が解決しようとする課題】
【０００４】
ところで、この種のガス絶縁開閉装置（以下で、従来の遮断器ユニットと称す）では、上述のように遮断器とこれを設置する床面との間にゴム等の軟らかい部材を設けたことで、地震等の大きな振動が加えられた際に、ゴム等の軟らかい部材を設けない場合と比較して、遮断器がより大きく揺れてしまう、つまり、遮断器が大きく変位してしまう可能性がある。その結果、遮断器が破損するおそれがある。
【課題を解決するための手段】
【０００５】
本発明の一形態に係る遮断器用架台は、
電流の遮断及び投入を行う遮断器を床面に設置する際に用いられる遮断器用架台であって、
前記遮断器と共に動くように取り付けられる第１の部品と、
前記遮断器と前記床面との間に位置し、前記第１の部品よりも高い伸縮性を有し、前記遮断器の動作による振動の前記床面への伝達を抑制する第２の部品と、
前記遮断器が動いた際に、前記遮断器の加速度を計測する加速度計と、
前記床面と共に動くように取り付けられたトーションバーと、
を備え、
前記加速度計の計測値が、所定の値を超えると、前記トーションバーの捩じられた状態が解放され、前記トーションバー又は前記トーションバーと接続された部品が、前記第１の部品と接触し、前記第１の部品を第１の方向に向かって押し付けること、
を特徴とする。
【発明の効果】
【０００６】
上記のように構成された遮断器用架台では、遮断器の変位を抑制することができる。
【図面の簡単な説明】
【０００７】
【図１】一実施形態に係る遮断器ユニットの正面図である。
【図２】一実施形態に係る遮断器ユニットの平面図である。
【図３】一実施形態に係る遮断器ユニットの側面図である。
【図４】一実施形態に係る遮断器ユニットの正面図であって、トーションバーの捩じりが解放された状態を示す図である。
【図５】変形例に係る遮断器ユニットの正面図である。
【図６】変形例である遮断器用架台におけるピストンとベース部材との接点近傍を拡大した図であり、アキュームレータ動作時の図である。
【発明を実施するための形態】
【０００８】
以下で、一実施形態である遮断器用架台を備える遮断器ユニットについて、添付した図面を参照しながら説明する。なお、各図において、水平方向をｘ軸で、鉛直方向をｙ軸で、奥行き方向をｚ軸で表す。
【０００９】
（構成）
遮断器ユニット１０は、図１に示すように、遮断器２０及び遮断器用架台１００を備えている。
【００１０】
遮断器２０は、本体２２と脚部２４とに分けることができる。本体２２は、これと接続された電力回路、又は、電気回路の開閉を担う装置であり、保守点検時にそれらの回路を切る機能を有する。また、遮断器２０は、保護継電器と連携して事故電流などを遮断する。従って、遮断器２０は、他の送電系統の設備を保護し、事故の波及を防止する役割も担っている。
【００１１】
脚部２４は、鉄等の比較的硬い材料から構成された角柱状の部材である。また、脚部２４は、本体２２の下面から鉛直下方向に向かって伸びている。また、遮断器２０は四本の脚部２４を有している。
【００１２】
遮断器用架台１００は、ベース部材１１０、ボルト１２０、ばね部材１３０、トーションバー１４０、モーター１５０、支柱１６０、加速度計１７０を有する。
【００１３】
ベース部材１１０は、鉄板等の比較的硬い材料から構成された平面視で長方形状の部材である。また、ベース部材１１０の上面には、遮断器２０の本体２２から伸びる４本の脚部２４の下端が固定されている。このように、ベース部材１１０と遮断器２０とは比較的硬い部材で構成された脚部２４により接続されているため、ベース部材１１０は、遮断器２０と共に動く。
【００１４】
ベース部材１１０は、ボルト１２０により、その四隅が遮断器２０を設置するための床面２００に固定されている。ただし、ボルト１２０には、ばね座金であるばね部材１３０が取り付けられている。そして、ばね部材１３０は、ボルト１２０の頭部とベース部材１１０との間、及びベース部材１１０と床面２００との間に設けられている。
【００１５】
ここで、ばね部材１３０は、本実施形態ではばね座金であるため、通常の座金や鉄板等と比較して鉛直方向に高い伸縮性を有している。そして、ばね部材１３０を上記のように配置したことにより、遮断器２０が動作した際に、ばね部材１３０が、遮断器２０の動作による振動を吸収する。その結果、遮断器ユニット１０では、遮断器２０の動作による振動が遮断器ユニット１０の外部に伝わることを抑制することができる。
【００１６】
トーションバー１４０は、鉛直方向において、ベース部材１１０の近傍に設けられている棒状の部材であり、鉛直方向から見ると、図２に示すように、遮断器２０と重なる位置に配置されている。また、トーションバー１４０は、図示しないラッチにより、捩じられた状態でロックされている。そして、この捩じられた状態は、図３に示される、トーションバー１４０の一端に設けられたモーター１５０により作り出される。なお、モーター１５０からの動力は、モーター１５０の回転軸に設けられたギア１５２及び、トーションバー１４０の一端に設けられた１４２を介して、トーションバー１４０に伝えられる。なお、本実施形態において、トーションバー１４０は、奥行き方向、各図においては、ｚ軸方向に伸びている。
【００１７】
また、トーションバー１４０と脚２４の位置を、鉛直方向から見ると、図２に示すように、脚２４の中心軸Ｃを通り、トーションバー１４０の中心軸と直行し、かつ、水平方向に平行な直線Ｌ１上において、トーションバー１４０と脚２４の中心軸Ｃとを結ぶ線分の長さａが、該トーションバー１４０とベース部材１１０の外縁Ｌ２とを結ぶ線分の長さｂよりも短い。つまり、トーションバー１４０は、ベース部材１１０の外縁Ｌ２よりも脚２４寄りに位置している。
【００１８】
支柱１６０は、図３に示すように、床面２００から鉛直上方向に向かって伸びる棒状の部材であり、トーションバー１４０を支えている。また、支柱１６０は、鉄等の比較的硬い材料から構成されている。従って、支柱１６０に支えられたトーションバー１４０は、床面２００が振動すると、床面２００と共に動く。
【００１９】
加速度計１７０は、図１に示すように、遮断器２０の本体２２の下部に、ケース１７２に周囲を覆われた状態で取り付けられている。このように取り付けられた加速度計１７０は、遮断器２０が変位した際の加速度を計測している。そして、加速度計１７０が、所定以上の加速度計を計測すると、図示しないラッチによるロックが解除され、トーションバー１４０が回転する。これにより、図４に示すように、トーションバー１４０の先端に設けられたカム１４４がベース部材１１０の上面と接触する。その結果、ベース部材１１０が、カム１４４により鉛直方向の下側に向かって押し付けられる。なお、本実施形態におけるカム１４４の形状は、トーションバー１４０が伸びる方向であるｚ軸方向から見ると、卵型を成している。また、カム１４４は、図２に示すように、４本の脚２４それぞれに対して、一つずつ設けられている。
【００２０】
（効果）
以上のように構成された遮断器用架台１００では、遮断器２０の変位を抑制することができる。具体的には、従来の遮断器ユニットでは、遮断器が動作した際に、遮断器と床面との間に設けられたゴム等が、遮断器の動作による振動を吸収する。つまり、遮断器と床面との間に設けられたゴム等が、遮断器の動作による振動が遮断器ユニットの外部に伝わることを抑制している。ただし、ゴム等の伸縮性により、地震等により遮断器ユニットに大きな振動が加わった際に、ゴム等を設けない場合と比較して、遮断器がより大きく揺れる、すなわち、大きく変位してしまう可能性がある。これに対し、一実施形態に係る遮断器ユニット１０の遮断器用架台１００では、遮断器２０の加速度を計測する加速度計１７０が、所定以上の加速度、例えば、地震による大きな加速度を計測すると、トーションバー１４０が回転し、該トーションバー１４０に設けられたカム１４４が、ベース部材１１０に接触すると同時に、該ベース部材１１０を鉛直方向の下側に向かって押し付ける。その結果、遮断器２０が、トーションバー１４０の支柱１６０が取り付けられた床面２００の変位よりも、大きく変位することが防止される。すなわち、遮断器用架台１００では、遮断器２０の変位を抑制することができる。
【００２１】
また、トーションバー１４０は、ベース部材１１０の外縁Ｌ２よりも脚２４寄りに位置している。これは、トーションバー１４０が、脚２４よりもベース部材１１０の外縁Ｌ２寄りに位置している場合と比較して、遮断器２０の動きをより確実に抑えることができる。
【００２２】
さらに、トーションバー１４０の少なくとも一部は、鉛直方向から見ると、遮断器２０と重なるように配置されている。従って、遮断器用架台１００では、トーションバー１４０が鉛直方向から見て遮断器２０とまったく重ならない位置、つまり、遮断器２０よりも外側に配置されている場合と比較して、その設置スペースを小さくすることができる。
【００２３】
これに加え、遮断器用架台１００では、遮断器２０の動作による振動が遮断器ユニット１０の外部に伝わることを抑制する部材として、ばね座金であるばね部材１３０を用いている。これは、ばね部材１３０がゴムである場合よりも耐久性が高い。
【００２４】
（変形例）
変形例である遮断器用架台１００Ａと一実施形態である遮断器用架台１００との主たる相違点は、図５に示すように、ベース部材１１０を押さえつける部品として油圧シリンダ１８０が加えられている点である。
【００２５】
油圧シリンダ１８０は、ベース部材１１０の上側に設けられている。そして、加速度計１７０が所定以上の加速度を計測すると、油圧シリンダ１８０と接続されたアキュームレータ１９０が作動し、そのアキュームレータ１９０が作動油１８２を油圧シリンダ１８０に向かって押し出す。そして、図６に示すように、油圧シリンダ１８０の先端に設けられたピストン１８５が飛び出し、ベース部材１１０を下側に押し付ける。なお、アキュームレータ１９０は、加速度計１７０と共に、ケース１７２に収められている。
【００２６】
以上のように構成された遮断器用架台１００Ａでは、一実施形態である遮断器用架台１００と比較して、ベース部材１１０を押さえつける箇所が多いため、より確実に遮断器２０の変位も抑制することができる。なお、油圧シリンダ１８０に用いられる作動油１８２は、例えば、遮断器２０に用いられる絶縁油を用いてもよい。遮断器用架台１００Ａにおける他の構成は、遮断器用架台１００と同様である。従って、油圧シリンダ１８０に関する説明以外の説明は、遮断器用架台１００での説明のとおりである。
【００２７】
（その他の実施形態）
本発明に係る遮断器用架台は、前記実施形態及び変形例に係る遮断器用架台に限らずその要旨の範囲内において変更可能である。例えば、ばね部材１３０に用いられる材料はゴムであってもよいし、トーションバー１４０の一部を加工して、トーションバー１４０の捩じりが解放された際に、その一部がベース部材１１０と接触するようにしてもよい。つまり、本発明に係る遮断器用架台に取り付けられる遮断器の種類や形状は任意である。また、ベース部材１１０を押さえつける方向は、鉛直下方向に限らず、水平方向であってもよい。
【産業上の利用可能性】
【００２８】
以上のように、本発明は、遮断器用架台に有用であり、特に、遮断器の変位を抑制できる点において優れている。
【符号の説明】
【００２９】
ａ  長さ、ｂ  長さ、Ｃ  中心軸、Ｌ１  直線、Ｌ２  外縁、１０  遮断器ユニット、２０  遮断器、２４  脚、１００  遮断器用架台、１１０  ベース部材（第１の部品）、１３０  ばね部材（第２の部品）、１４０  トーションバー、１７０  加速度計、１８０  油圧シリンダ、１８２  作動油、１８５  ピストン、１９０  アキュームレータ、２００  床面
【図１】
2017195678.tif 000003
【図２】
2017195678.tif 000004
【図３】
2017195678.tif 000005
【図４】
2017195678.tif 000006
【図５】
2017195678.tif 000007
【図６】
2017195678.tif 000008